(57)【要約】【課題】空気調和機の室外ユニットの難燃性を確保する電装品収納箱を提供すること。【解決手段】空気調和機の室外ユニットにおいて、樹脂製電装品収納箱の送風機室側に露出部を上、下部２つに分離して覆う金属製カバーにおいて、樹脂製電装品収納箱と一体に構成された突起形状を有する爪を下部を覆う金属製カバーに設けたスリット部に挿入することにより固定を行い、上部を覆う金属製カバーで樹脂電装品収納箱を隠蔽することにより樹脂電装品収納箱への延焼を防止する。【選択図】図１
2011080723.tif 000002
【特許請求の範囲】
【請求項１】
空気調和機の室外ユニットの底板に立設された金属製の仕切板で前記室外ユニットを送風機室と圧縮機室とに区画し、樹脂製の電装品収納箱を前記仕切板の上端に前記送風機室側と前記圧縮機室側とに跨がらせて設置固定し、前記電装品収納箱を上部、下部の２つの部分で構成される金属製カバーで覆い、前記電装品収納箱は該電装品収納箱と一体に形成され突起を有する爪を有し、前記突起を前記下部側の金属製カバーに設けたスリット部に係合したことを特徴とする空気調和機の室外ユニット。
【請求項２】
前記電装品収納箱と一体に構成された突起形状を有する爪を有し、前記電装品収納箱の上部を覆う前記金属製カバーに設けたスリット部に挿入することにより固定を行うことを特徴とする請求項１に記載の空気調和機の室外ユニット。
【請求項３】
前記爪は前記電装品から延出する電線を保持する形状を具備したことを特徴とする請求項１に記載の空気調和機の室外ユニット。
【発明の詳細な説明】
【技術分野】
【０００１】
本発明は、空気調和機の室外ユニットに関し、より詳しくは、作業性を良くし、且つ難燃性を向上した電装品収納箱に関するものである。
【背景技術】
【０００２】
従来、この種の空気調和機の室外ユニットは、室外ユニット底板に立設された垂直な金属製仕切板で送風機室と圧縮機室とを区画し、外装を金属カバーで覆った樹脂製電装品収納箱は電装品の冷却を行うため、電装品収納箱の送風機室露出部が樹脂製ファンの回転する送風機室に露出した位置で仕切り板の上部に取り付けられている（例えば、特許文献１参照）。
【０００３】
また、送風機室に設置されたファンの回転中心より投影したとき開口を覆う位置に金属製のカバーを設けているものもある（例えば、特許文献２参照）。
【０００４】
図５は、特許文献１に記載された従来の空気調和機の室外ユニットの分解斜視図、図６は、特許文献２に記載された従来の電装品収納箱の分解斜視図を示すものである。
同図に示すように、電装品収納箱１、電装品２、電装品収納箱の送風機室露出部３、ファン４、仕切り板５、前側の吹出グリル６、前板７、熱交換器８が配置された送風機室９、圧縮機１０が配置された圧縮機室１１、室外ユニット底板１７から構成されている。
仕切り板５及び前板７は金属で構成され、電装品収納箱１及び電装品収納箱の送風機室露出部３、ファン４、吹出グリル６は樹脂で構成されている。同図に示すように、電装品収納箱１の外部を覆う金属板１２で開口部１６は覆われている。
【先行技術文献】
【特許文献】
【０００５】
【特許文献１】特開２００３−１０６５７３号公報
【特許文献２】特開２００７−１６５８０５号公報
【発明の概要】
【発明が解決しようとする課題】
【０００６】
しかしながら、前記従来の構成では、室外ユニット底板に立設された垂直な金属製仕切板で送風機室と圧縮機室とを区画し、前記圧縮機室に圧縮機等を配置すると共に、仕切板の上端に樹脂製電装品収納箱を送風機室側と圧縮機室側とに跨がって設置し、樹脂製電装品収納箱の送風機室側に露出した部分を金属製カバーで覆い、金属製カバーを室外ユニット前板、前記仕切り板などの金属製部品とネジにより機械的固定を行うことにより、金属製カバーをネジ固定する必要があり組立作業工数を増加させていた。
【０００７】
また金属製カバーを室外ユニット前板、前記仕切り板などの金属製部品とネジ固定するために樹脂製電装品収納箱と密着できない部分が発生し、その隙間より炎が内部に侵入し内部にある電装品を焼損させる可能性があるという課題を有していた。
本発明は、前記従来の課題を解決するもので、難燃性を確保した電装品収納箱を有し、電装品収納箱に容易に装着が出来、確実に難燃性を向上した空気調和機の室外ユニットを提供することを目的とする。
【課題を解決するための手段】
【０００８】
前記従来の課題を解決するために、本発明の空気調和機の室外ユニットは、空気調和機の室外ユニットの底板に立設された金属製の仕切板で前記室外ユニットを送風機室と圧縮
機室とに区画し、樹脂製の電装品収納箱を前記仕切板の上端に前記送風機室側と前記圧縮機室側とに跨がらせて設置固定し、前記電装品収納箱を上部、下部の２つの部分で構成される金属製カバーで覆い、前記電装品収納箱は該電装品収納箱と一体に形成され突起を有する爪を有し、前記突起を前記下部側の金属製カバーに設けたスリット部に係合したものである。
【０００９】
この構成をなすことにより、炎で爪が溶融したとしても、金属製カバーの内部に炎が侵入することがなく電装品が延焼することを防止することができる。
【発明の効果】
【００１０】
本発明の空気調和機の室外ユニットは、電装品収納箱の難燃性を向上することにより安全性の高い製品を安価に使用者に提供することができる。
【図面の簡単な説明】
【００１１】
【図１】本発明の第１の実施の形態における電装品収納箱の分解斜視図
【図２】本発明の第１の実施の形態における爪部近傍の拡大図
【図３】本発明の第１の実施の形態における電装品収納箱の斜視図
【図４】本発明の第１の実施の形態における電装品収納箱の断面図
【図５】従来の空気調和機の室外ユニットの室外ユニットの分解斜視図
【図６】従来の電装品収納箱の分解斜視図
【発明を実施するための最良の形態】
【００１２】
第１の発明は空気調和機の室外ユニットの底板に立設された金属製の仕切板で前記室外ユニットを送風機室と圧縮機室とに区画し、樹脂製の電装品収納箱を前記仕切板の上端に前記送風機室側と前記圧縮機室側とに跨がらせて設置固定し、前記電装品収納箱を上部、下部の２つの部分で構成される金属製カバーで覆い、前記電装品収納箱は該電装品収納箱と一体に形成され突起を有する爪を有し、前記突起を前記下部側の金属製カバーに設けたスリット部に係合したため、爪が溶融したとしても金属製カバーの内部まで延焼することがなく、且つ金属製カバーが樹脂製電装品収納箱に容易に装着が出来、上下より樹脂電装品収納箱を覆えるため難燃性を向上しつつ作業性を向上することができる。
【００１３】
第２の発明は、特に、第１の発明の電装品収納箱と一体に構成された突起形状を有する爪を有し、前記電装品収納箱の上部を覆う前記金属製カバーに設けたスリット部に挿入することにより金属製カバーが樹脂製電装品収納箱に容易に装着が出来る。
【００１４】
第３の発明は、特に、第１または第２の発明の爪は前記電装品から延出する電線を保持する形状を具備したことにより、難燃性を向上しつつ作業性を向上することができる。
【００１５】
以下、本発明の実施の形態について、図面を参照しながら説明する。なお、この実施の形態によって本発明が限定されるものではない。
【００１６】
（実施の形態１）
図１は本発明の第１の実施の形態における電装品収納箱の分解斜視図、図２は本発明の第１の実施の形態における爪部近傍の拡大図、図３は本発明の第１の実施の形態における電装品収納箱の斜視図、図４は本発明の第１の実施の形態における電装品収納箱の断面図を示すものである。
【００１７】
図１、図２において、仕切板５の上端に空気調和機の制御等を行う電装品２を収納した電装品収納箱１を送風機室側と圧縮機室側とに跨がって設置し、送風機室側の露出部３を金属製カバー２０、２１で上下から挟むように覆い、樹脂製電装品収納箱と一体に構成さ
れた爪２２に具備した突起２２ａを、電装品収納箱の下部を覆う金属製カバー２１に設けたスリット部２３に挿入することにより固定を行い、上部を覆う金属製カバー２０で樹脂電装品収納箱を隠蔽する構造となっている。
【００１８】
このような構成をなすことにより、樹脂製電装品収納箱の大部分は金属製カバー２０、２１で覆われ、露出した樹脂部分は爪２２の部分のみになるので爪２２が炎で溶融したとしても金属製カバー２０、２１の内部まで炎が侵入することがなく、最小限の溶融のみに抑え、被害を最小限にとどめることができる。
【００１９】
また、図４において、樹脂製電装品収納箱と一体に構成される突起形状２２ａを有する爪２２に、電線を保持する形状２２ｂ（この場合は、上方から下方へ電線を係止する形状）を合わせて設けることにより、露出する樹脂部分を低減しながら爪２２を有効に利用し、難燃性を向上しつつ、余分な樹脂使用軽減する構造となっている。
【００２０】
以上のように構成された空気調和機の室外ユニットについて、以下その動作、作用を説明する。
【００２１】
まず、樹脂製ファンに引火しても樹脂製電装品収納箱の送風機室側露出部を上、下部２つに分離して覆う金属製カバーにおいて、樹脂製電装品収納箱を隠蔽するため炎が樹脂製電装品収納箱に及ぶのを防止し難燃性を確保できる。
【００２２】
また、樹脂製電装品収納箱と一体に構成された突起形状を有する爪を下部を覆う金属製カバーに設けたスリット部に挿入することにより固定を行い、樹脂製電装品収納箱と一体に構成される突起形状を有する爪を上部を覆う金属製カバーで固定するように取付けることにより爪が炎で溶融することを防止し下より覆う金属製カバーが落下することを確実に防止できる。
【００２３】
また、樹脂製電装品収納箱より構成される突起形状を有する爪に電線と保持する形状を合わせて設けたことにより、露出する樹脂部分を低減することにより難燃性を向上され、合わせて余分な樹脂使用軽減できる。
【産業上の利用可能性】
【００２４】
以上のように、本発明にかかる空気調和機の室外ユニットは、難燃性を確保した電装品
収納箱を有し、電装品収納箱に容易に装着が出来、確実に難燃性を確保できるので、ヒ
ートポンプ給湯器等の用途にも適用できる。
【符号の説明】
【００２５】
１  電装品収納箱
２  電装品
３  電装品収納箱の送風機室側露出部
４  ファン
５  仕切板
６  吹出グリル
７  前板
８  熱交換器
９  送風機室
１０  圧縮機
１１  圧縮機室
１２、１２ａ、１２ｂ  カバー
１３ａ、１３ｂ  ネジ受け部
１４ａ、１４ｂ  穴
１５  ネジ
１６  隙間
１７  底板
１８  側板
１９  天板
２０  上部を覆う金属製カバー
２０ｂ  上部を覆う金属製カバーの側面
２１  下部を覆う金属製カバー
２２  樹脂製電装品収納箱と一体に構成される爪
２２ａ  突起形状
２２ｂ  電線を保持する形状
２３  下部を覆う金属製カバーに設けたスリット部
【図１】
2011080723.tif 000003
【図２】
2011080723.tif 000004
【図３】
2011080723.tif 000005
【図４】
2011080723.tif 000006
【図５】
2011080723.tif 000007
【図６】
2011080723.tif 000008